(57)【特許請求の範囲】
【請求項１】
収納室内後壁に位置し上下方向に開口を設け上下方向に延在する吸込みダクトと、前記吸込みダクトの下部に位置し、前記吸込みダクト下部開口と接続するファンボックスと、前記ファンボックス内に設けられたファンと、前記ファンの前方に位置し、前記ファンボックスと接続するヒータボックスと、前記ヒータボックス内部に設けられたヒータと、前記ファンと前記ヒータの間に前記ヒータの輻射熱を遮断する熱遮へい板とを備え、前記収納室の加温時、前記ファンから吐出される空気は前記ヒータで加温され、加温された空気は前記収納室内部を循環した後、前記吸込みダクトに吸込まれ、低い温度の戻り空気となって前記ファンへ戻ることで、前記ファンは前記熱遮へい板と前記低い温度の戻り空気とで温度上昇を抑えられることを特徴とする自動販売機。
【請求項２】
熱遮へい板は、円形に構成されたことを特徴とする請求項１に記載の自動販売機。
【請求項３】
熱遮へい板は、円形の周囲にヒータ側にふちを有したことを特徴とする請求項１または２に記載の自動販売機。
【請求項４】
ファンの周囲に位置しヒータ側に開口部を狭くする熱遮へい板を備えたことを特徴とする請求項１から３のいずれか一項に記載の自動販売機。
【請求項５】
熱遮へい板は、ファン側に頂点を有する円錐形としたことを特徴とする請求項１から４のいずれか一項に記載の自動販売機。
【請求項６】
熱遮へい板は、ルーバー形状に構成されたことを特徴とする請求項１に記載の自動販売機。
【請求項７】
熱遮へい板は、ファンとヒータの間に位置し、ヒータボックス内に設けられたことを特徴とする請求１から６のいずれか一項に記載の自動販売機。
【発明の詳細な説明】
【０００１】
【発明の属する技術分野】
本発明は商品の収納室を加温して商品を販売するようにした自動販売機の庫内加温装置に関するものである。
【０００２】
【従来の技術】
近年、自動販売機の庫内加温装置は特開平９−１４７２１１号公報に示されるような構成になっていた。
【０００３】
以下、図面を参照しながら自動販売機についてその一例を説明する。
図１５において、１は、自動販売機の本体であり、収納室２が設けられている。３は、前記本体１の前面扉であり、４は、前記収納室２の内側扉である。５は、商品を収納する商品棚であり前記収納室２の内部に位置している。
【０００４】
６は、前記収納室２の後壁に位置し上部開口６ａと下部開口６ｂを設け上下方向に延在するダクトである。１７は、前記ダクト６の下部に位置し前記下部開口６ｂと接続されヒータ１８を有するヒータボックスである。
【０００５】
１９は、前記ヒータボックス１７の前面に位置しファンボックス２０に内部に設けられたファンである。この構成により前記収納室２には、矢印のように前記ヒータ１８にて加温された空気を前記ファン１９が送風し前記収納棚５の商品を加温していた。
【０００６】
【発明が解決しようとする課題】
しかしながら、上記従来の構成では、ファン１９が直接ヒータ１８にて加温された空気にあたるためファン１９の温度が高くなり、ファン１９の寿命が無くなるという課題を有していた。
【０００７】
本発明は上記課題に鑑み、ファンの温度上昇を抑えることにより寿命が短くならない、ファンの信頼性の高い自動販売機の庫内加温装置を提供するものである。
【０００８】
【課題を解決するための手段】
この目的を達成するために本発明は収納室内後壁に位置し上下方向に開口を設け上下方向に延在する吸込みダクトと、前記吸込みダクトの下部に位置し、前記吸込みダクト下部開口と接続するファンボックスと、前記ファンボックス内に設けられたファンと、前記ファンの前方に位置し、前記ファンボックスと接続するヒータボックスと、前記ヒータボックス内部に設けられたヒータと、前記ファンと前記ヒータの間に前記ヒータの輻射熱を遮断する熱遮へい板とを備え、前記収納室の加温時、前記ファンから吐出される空気は前記ヒータで加温され、加温された空気は前記収納室内部を循環した後、前記吸込みダクトに吸込まれ、低い温度の戻り空気となって前記ファンへ戻ることで、前記ファンは前記熱遮へい板と前記低い温度の戻り空気とで温度上昇を抑えられるという構成を備えている。
【０００９】
これにより、ヒータで加温された空気は、収納棚の商品にて温度が下がり、ダクトより吸い込まれた空気は、ヒータで加温された空気より低い温度でファンにあたるため、また熱遮へい板でヒータの輻射熱を防ぐためファンの温度上昇を抑えることができ、ファンの温度上昇を抑えることができ、ファンの寿命が短くならない、ファンの信頼性を向上させることができる。
【００１２】
またファンとヒータの間に位置し、円形をした熱遮へい板からなるという構成を備えている。
【００１３】
これにより、ファンは、熱遮へい板でヒータの輻射熱を防ぐためファンの温度上昇を抑えることができ、ファンの寿命が短くならない、ファンの信頼性を向上させることができる。
【００１４】
またファンとヒータの間に位置し、円形をした熱遮へい板で円形の周囲にヒータ側にふちを設けるという構成を備えている。
【００１５】
これにより、ファンは、熱遮へい板でヒータの輻射熱を防ぐとともに熱遮へい板の円形の周囲にヒータ側にふちを設けることによりファンより吐出される風が熱遮へい板の周囲にて乱流を発生させることがなくヒータボックスより吐出される風量の低下を防ぐことができる。
【００１６】
またファンの周囲に位置しヒータ側に開口部を狭くする熱遮へい板と、ファンとヒータの間に位置し、円形をした熱遮へい板を設けるという構成を備えている。
【００１７】
これにより、ファンは、熱遮へい板でヒータよりの直接の輻射熱を防ぐとともにヒータボックスより反射したヒータよりの間接の輻射熱も防ぐためファンの温度上昇を抑えることができ、ファンの寿命が短くならない、ファンの信頼性を向上させることができる。
【００１８】
またファンとヒータの間に位置し、熱遮へい板でファン側に頂点を有する円錐形とした構成を備えている。
【００１９】
これにより、ファンは、熱遮へい板でヒータの輻射熱を防ぐとともに熱遮へい板がファン側に頂点を有する円錐形のため空気抵抗が少なくなりファンの風量が低下することを防ぐことができる。
【００２０】
またファンとヒータの間に位置する熱遮へい板でルーバー形状を設けるという構成を備えている。
【００２１】
これにより、ファンは、熱遮へい板でヒータの輻射熱を防ぐためファンの温度上昇を抑えることができ、ファンの寿命が短くならない、ファンの信頼性を向上させることができる。また熱遮へい板がルーバー形状のため空気抵抗が少なくなり、ファンの風量が低下することを防ぐことができ、熱遮へい板がルーバー形状のため熱遮へい板を通過した風の向きは一定となり、収納棚の商品に均一に風があたり商品温度分布のバラツキを小さくすることができる。また、熱遮へい板は、ファンとヒータの間に位置し、ヒータボックス内に設けられるという構成を備えている。これにより、ファンは、熱遮へい板でヒータの輻射熱を防ぐためファンの温度上昇を抑えることができる。
【００２２】
【発明の実施の形態】
本発明の請求項１に記載の発明は、収納室内後壁に位置し上下方向に開口を設け上下方向に延在する吸込みダクトと、前記吸込みダクトの下部に位置し、前記吸込みダクト下部開口と接続するファンボックスと、前記ファンボックス内に設けられたファンと、前記ファンの前方に位置し、前記ファンボックスと接続するヒータボックスと、前記ヒータボックス内部に設けられたヒータと、前記ファンと前記ヒータの間に前記ヒータの輻射熱を遮断する熱遮へい板とを備え、前記収納室の加温時、前記ファンから吐出される空気は前記ヒータで加温され、加温された空気は前記収納室内部を循環した後、前記吸込みダクトに吸込まれ、低い温度の戻り空気となって前記ファンへ戻ることで、前記ファンは前記熱遮へい板と前記低い温度の戻り空気とで温度上昇を抑えられることができ、ファンの寿命が短くならない、ファンの信頼性を向上させることができるという作用を有する。
【００２４】
請求項２に記載の発明は、請求項１に記載の発明に、さらに熱遮へい板は、円形に構成されたことからなり、ファンは、熱遮へい板でヒータの輻射熱を防ぐためファンの温度上昇を抑えることができ、ファンの寿命が短くならない、ファンの信頼性を向上させることができるという作用を有する。
【００２５】
請求項３に記載の発明は、請求項２に記載の発明に、さらに熱遮へい板は、円形の周囲にヒータ側にふちを有したことからなり、ファンは、熱遮へい板でヒータの輻射熱を防ぐとともに熱遮へい板の円形の周囲にヒータ側にふちを設けることによりファンより吐出される風が熱遮へい板の周囲にて乱流を発生させることがなくヒータボックスより吐出される風量の低下を防ぐことができるという作用を有する。
【００２６】
請求項４に記載の発明は、請求項１から３のいずれか一項に記載の発明に、さらにファンの周囲に位置しヒータ側に開口部を狭くする熱遮へい板を備えたことからなり、ファンは、熱遮へい板でヒータよりの直接の輻射熱を防ぐとともにヒータボックスより反射したヒータよりの間接の輻射熱も防ぐためファンの温度上昇を抑えることができ、ファンの寿命が短くならない、ファンの信頼性を向上させることができるという作用を有する。
【００２７】
請求項５に記載の発明は、請求項１から４のいずれか一項に記載の発明に、さらに熱遮へい板は、ファン側に頂点を有する円錐形としたことからなり、ファンは、熱遮へい板でヒータの輻射熱を防ぐためファンの温度上昇を抑えることができ、ファンの寿命が短くならない、ファンの信頼性を向上させることができ、熱遮へい板がファン側に頂点を有する円錐形のため空気抵抗が少なくなりファンの風量が低下することを防ぐことができるという作用を有する。
【００２８】
請求項６に記載の発明は、請求項１に記載の発明に、さらに熱遮へい板は、ルーバー形状に構成されたことからなり、ファンは、熱遮へい板でヒータの輻射熱を防ぐためファンの温度上昇を抑えることができ、ファンの寿命が短くならない、ファンの信頼性を向上させることができる。また熱遮へい板がルーバー形状のため空気抵抗が少なくなり、ファンの風量が低下することを防ぐことができ、熱遮へい板がルーバー形状のため熱遮へい板を通過した風の向きは一定となり、収納棚の商品に均一に風があたり商品温度分布のバラツキを小さくすることができるという作用を有する。また請求項７に記載の発明は、請求項１から６のいずれか一項に記載の発明に、さらに熱遮へい板は、ファンとヒータの間に位置し、ヒータボックス内に設けられたことからなり、熱遮へい板でヒータの輻射熱を防ぐためファンの温度上昇を抑えることができる。
【００２９】
【実施例】
以下、本発明による自動販売機の庫内温度制御装置の実施例について、図面を参照しながら説明する。なお、従来と同一構成については同一符号を付して詳細な説明を省略する。
【００３０】
（実施例１）
図１は本発明の実施例１による自動販売機の庫内加温装置の縦断面図である。図２は同実施例の自動販売機の庫内加温装置の斜視図である。
【００３１】
図１，図２において、６は、収納室２内の後壁に位置し上部開口６ａ、下部開口６ｂを設け上下方向に延在するダクトである。７は、前記ダクト６の下部に位置し、前記ダクト６の下部開口６ｂと接続するファンボックスである。
【００３２】
８は、前記ファンボックス７内に設けられたファンである。９は、前記ファン８の前方に位置するヒータでありヒータボックス１０内部に設けられている。
【００３３】
以上のように構成された自動販売機の庫内加温装置について図１，図２でその動作を説明する。
【００３４】
まず、収納室２には、矢印のように収納室２内部を循環する空気の流れがあり、ファン８で送風された空気をヒータ９で加温し、加温された空気が収納棚５に循環することにより商品を加温する。
【００３５】
以上の様に本実施例の自動販売機の庫内加温装置は、ヒータ９で加温された空気は、収納棚の商品にて温度が下がり、ダクト６より吸い込まれた空気は、ヒータ９で加温された空気より低い温度でファン８にあたるためファン８の温度上昇を抑えることができ、ファン８の寿命が短くならない、ファン８の信頼性を向上させることができる。
【００３６】
（実施例２）
次に本発明による実施例２の自動販売機の庫内温度制御装置について、図面を参照しながら説明する。なお、従来及び実施例１と同一構成については同一符号を付して詳細な説明を省略する。
【００３７】
図３は本発明の実施例２による自動販売機の庫内加温装置の縦断面図である。図４は同実施例の自動販売機の庫内加温装置の斜視図である。
【００３８】
図３，図４において、１１は、前記ファン８と前記ヒータ９の間に位置する円形をした熱遮へい板であり前記ヒータボックス１０に固定がされている。
【００３９】
以上のように構成された自動販売機の庫内加温装置について図３，図４でその動作を説明する。
【００４０】
まず、収納室２には、矢印のように収納室２内部を循環する空気の流れがあり、ファン８で送風された空気をヒータ９で加温し、加温された空気が収納棚５に循環することにより商品を加温する。また前記ヒータ９の輻射熱は、前記熱遮へい板１１にて遮断されるので前記ファン８には、前記ヒータ９の輻射熱の影響はない。
【００４１】
以上の様に本実施例の自動販売機の庫内加温装置は、熱遮へい板１１でヒータ９の輻射熱を防ぐとともに断熱材にてヒータ９の輻射熱による熱遮へい板１１の温度上昇を防ぎ熱遮へい板１１の輻射熱を小さくしたためファン８は、熱遮へい板１１でヒータ９の輻射熱を防ぐためファン８の温度上昇を抑えることができ、ファン８の寿命が短くならない、ファン８の信頼性を向上させることができる。
【００４２】
（実施例３）
次に本発明による実施例３の自動販売機の庫内温度制御装置について、図面を参照しながら説明する。なお、従来及び実施例１と同一構成については同一符号を付して詳細な説明を省略する。
【００４３】
図５は本発明の実施例３による自動販売機の庫内加温装置の縦断面図である。図６は同実施例の自動販売機の庫内加温装置の斜視図である。
【００４４】
図５，図６において、１２は、前記ファン８と前記ヒータ９の間に位置する円形をした熱遮へい板であり円形の周囲に前記ヒータ９側にふち１２ａを有している。
【００４５】
以上のように構成された自動販売機の庫内加温装置について図５，図６でその動作を説明する。
【００４６】
まず、収納室２には、矢印のように収納室２内部を循環する空気の流れがあり、ファン８で送風された空気をヒータ９で加温し、加温された空気が収納棚５に循環することにより商品を加温する。また前記ヒータ９の輻射熱は、前記熱遮へい板１２にて遮断されるので前記ファン８には、前記ヒータ９の輻射熱の影響はない。
【００４７】
以上の様に本実施例の自動販売機の庫内加温装置は、熱遮へい板１２でヒータ９の輻射熱を防ぎファン８の温度上昇を抑えることができ、ファン８の寿命が短くならない、ファン８の信頼性を向上させることができる。またファン８より吐出される風が熱遮へい板の周囲にて乱流を発生させることがなくヒータボックス１０より吐出される風量の低下を防ぐことができる。
【００４８】
（実施例４）
次に本発明による実施例４の自動販売機の庫内温度制御装置について、図面を参照しながら説明する。なお、従来及び実施例１及び実施例３と同一構成については同一符号を付して詳細な説明を省略する。
【００４９】
図７は本発明の実施例３による自動販売機の庫内加温装置の縦断面図である。図８は同実施例の自動販売機の庫内加温装置の斜視図である。
【００５０】
図７，図８において、１３は、前記ヒータボックス１０内部に設けられ前記ファン８の周囲に位置し前記ヒータ９側に開口部を狭くする熱遮へい板である。
【００５１】
以上のように構成された自動販売機の庫内加温装置について図７，図８でその動作を説明する。
【００５２】
まず、収納室２には、矢印のように収納室２内部を循環する空気の流れがあり、ファン８で送風された空気をヒータ９で加温し、加温された空気が収納棚５に循環することにより商品を加温する。また前記ヒータ９の輻射熱は、前記熱遮へい板１２にて遮断されるので前記ファン８には、前記ヒータ９の輻射熱の影響はない。
【００５３】
以上の様に本実施例の自動販売機の庫内加温装置は、熱遮へい板１３でヒータ９よりの直接の輻射熱を防ぐとともにヒータボックス１０より反射したヒータ９よりの間接の輻射熱も防ぐためファン８の温度上昇を抑えることができ、ファン８の寿命が短くならない、ファン８の信頼性を向上させることができる。
【００５４】
（実施例５）
次に本発明による実施例５の自動販売機の庫内加温装置について、図面を参照しながら説明する。なお、従来及び実施例１と同一構成については同一符号を付して詳細な説明を省略する。
【００５５】
図９は本発明の実施例５による自動販売機の庫内加温装置の縦断面図である。図１０は同実施例の自動販売機の庫内加温装置の斜視図である。
【００５６】
図９，図１０において、１４は、前記ファン８と前記ヒータ９の間に位置する熱遮へい板で前記ファン８側に頂点を有する円錐形を設けている。
【００５７】
以上のように構成された自動販売機の庫内加温装置について図９，図１０でその動作を説明する。
【００５８】
まず、収納室２には、矢印のように収納室２内部を循環する空気の流れがあり、ファン８で送風された空気をヒータ９で加温し、加温された空気が収納棚５に循環することにより商品を加温する。また前記ヒータ９の輻射熱は、前記熱遮へい板１４にて遮断されるので前記ファン８には、前記ヒータ９の輻射熱の影響はない。
【００５９】
以上の様に本実施例の自動販売機の庫内加温装置は、熱遮へい板１４でヒータ９の輻射熱を防ぐためファン８の温度上昇を抑えることができ、ファン８の寿命が短くならない、ファン８の信頼性を向上させることができ、また熱遮へい板１４がファン８側に頂点を有する円錐形のため空気抵抗が少なくなりファン８の風量が低下することを防ぐことができる。
【００６０】
（実施例６）
次に本発明による実施例６の自動販売機の庫内加温装置について、図面を参照しながら説明する。なお、従来及び実施例１と同一構成については同一符号を付して詳細な説明を省略する。
【００６１】
図１１は本発明の実施例６による自動販売機の庫内加温装置の縦断面図である。図１２は同実施例の自動販売機の庫内加温装置の斜視図である。
【００６２】
図１１，図１２において、１５は、前記ファン８と前記ヒータ９の間に位置する熱遮へい板でありルーバー形状をしている。
【００６３】
以上のように構成された自動販売機の庫内加温装置について図１１，図１２でその動作を説明する。
【００６４】
まず、収納室２には、矢印のように収納室２内部を循環する空気の流れがあり、ファン８で送風された空気をヒータ９で加温し、加温された空気が収納棚５に循環することにより商品を加温する。また前記ヒータ９の輻射熱は、前記熱遮へい板１５にて遮断されるので前記ファン８には、前記ヒータ９の輻射熱の影響はない。
【００６５】
以上の様に本実施例の自動販売機の庫内加温装置は、熱遮へい板１５でヒータ９の輻射熱を防ぐためファン８の温度上昇を抑えることができ、ファン８の寿命が短くならない、ファン８の信頼性を向上させることができる。また熱遮へい板１５がルーバー形状のため空気抵抗が少なくなり、ファン８の風量が低下することを防ぐことができ、熱遮へい板１５がルーバー形状のため熱遮へい板１５を通過した風の向きは一定となり、収納棚の商品に均一に風があたり商品温度分布のバラツキを小さくすることができる。
【００６６】
（実施例７）
次に本発明による実施例７の自動販売機の庫内加温装置について、図面を参照しながら説明する。なお、従来及び実施例１と同一構成については同一符号を付して詳細な説明を省略する。
【００６７】
図１３は本発明の実施例７による自動販売機の庫内加温装置の縦断面図である。図１４は同実施例の自動販売機の庫内加温装置の斜視図である。
【００６８】
図１３，図１４において、１６は、前記ファン８と前記ヒータ９の間に位置するＶ字型に曲がっている熱遮へい板で複数の孔１６ａを設けている。
【００６９】
以上のように構成された自動販売機の庫内加温装置について図１３，図１４でその動作を説明する。
【００７０】
まず、収納室２には、矢印のように収納室２内部を循環する空気の流れがあり、ファン８で送風された空気をヒータ９で加温し、加温された空気が収納棚５に循環することにより商品を加温する。また前記ヒータ９の輻射熱は、前記熱遮へい板１６にて遮断されるので前記ファン８には、前記ヒータ９の輻射熱の影響はない。
【００７１】
以上の様に本実施例の自動販売機の庫内加温装置は、熱遮へい板１６でヒータ９の輻射熱を防ぐためファン８の温度上昇を抑えることができ、ファン８の寿命が短くならない、ファン８の信頼性を向上させることができる。また熱遮へい板１６に複数の孔１６ａが設けられるため空気抵抗が少なくなり、ファン８の風量が低下することを防ぐことができ、熱遮へい板１６に複数の穴１６ａが設けられるためヒータ９にあたる風量分布が均一となるヒータ９の熱交換効率を向上させることができる。
【００７２】
【発明の効果】
以上説明したように本発明は、ヒータで加温された空気が、収納棚の商品にて温度が下がり、ダクトより吸い込まれた空気は、ヒータで加温された空気より低い温度でファンにあたるため、ファンの温度上昇を抑えることができ、ファンの寿命が短くならない、ファンの信頼性を向上させることができる。
【００７３】
また、ファンは、熱遮へい板でヒータの輻射熱を防ぐためファンの温度上昇を抑えることができ、ファンの寿命が短くならない、ファンの信頼性を向上させることができる。
【００７４】
また、ファンは、熱遮へい板でヒータの輻射熱を防ぐとともに熱遮へい板の円形の周囲にヒータ側にふちを設けることによりファンより吐出される風が熱遮へい板の周囲にて乱流を発生させることがなくヒータボックスより吐出される風量の低下を防ぐことができる。
【００７５】
また、ファンは、熱遮へい板でヒータよりの直接の輻射熱を防ぐとともにヒータボックスより反射したヒータよりの間接の輻射熱も防ぐためファンの温度上昇を抑えることができ、ファンの寿命が短くならない、ファンの信頼性を向上させることができる。
【００７６】
また、ファンは、熱遮へい板でヒータの輻射熱を防ぐためファンの温度上昇を抑えることができ、ファンの寿命が短くならない、ファンの信頼性を向上させることができ、また熱遮へい板がファン側に頂点を有する円錐形のため空気抵抗が少なくなりファンの風量が低下することを防ぐことができる。
【００７７】
また、ファンは、熱遮へい板でヒータの輻射熱を防ぐためファンの温度上昇を抑えることができ、ファンの寿命が短くならない、ファンの信頼性を向上させることができる。また熱遮へい板がルーバー形状のため空気抵抗が少なくなり、ファンの風量が低下することを防ぐことができ、熱遮へい板がルーバー形状のため熱遮へい板を通過した風の向きは一定となり、収納棚の商品に均一に風があたり商品温度分布のバラツキを小さくすることができる。
【図面の簡単な説明】
【図１】本発明による自動販売機の庫内加温装置の実施例１の縦断面図
【図２】本発明による自動販売機の庫内加温装置の実施例１の斜視図
【図３】本発明による自動販売機の庫内加温装置の実施例２の縦断面図
【図４】本発明による自動販売機の庫内加温装置の実施例２の斜視図
【図５】本発明による自動販売機の庫内加温装置の実施例３の縦断面図
【図６】本発明による自動販売機の庫内加温装置の実施例３の斜視図
【図７】本発明による自動販売機の庫内加温装置の実施例４の縦断面図
【図８】本発明による自動販売機の庫内加温装置の実施例４の斜視図
【図９】本発明による自動販売機の庫内加温装置の実施例５の縦断面図
【図１０】本発明による自動販売機の庫内加温装置の実施例５の斜視図
【図１１】本発明による自動販売機の庫内加温装置の実施例６の縦断面図
【図１２】本発明による自動販売機の庫内加温装置の実施例６の斜視図
【図１３】本発明による自動販売機の庫内加温装置の実施例７の縦断面図
【図１４】本発明による自動販売機の庫内加温装置の実施例７の斜視図
【図１５】従来の自動販売機の庫内加温装置の縦断面図
【符号の説明】
２  収納室
６  ダクト
６ａ  上部開口
６ｂ  下部開口
７  ファンボックス
８  ファン
９  ヒータ
１０  ヒータボックス
１１，１２，１３，１４，１５，１６  熱遮へい板
１２ａ  ふち
１６ａ  穴
【図１】
0004124285.tif 000002
【図２】
0004124285.tif 000003
【図３】
0004124285.tif 000004
【図４】
0004124285.tif 000005
【図５】
0004124285.tif 000006
【図６】
0004124285.tif 000007
【図７】
0004124285.tif 000008
【図８】
0004124285.tif 000009
【図９】
0004124285.tif 000010
【図１０】
0004124285.tif 000011
【図１１】
0004124285.tif 000012
【図１２】
0004124285.tif 000013
【図１３】
0004124285.tif 000014
【図１４】
0004124285.tif 000015
【図１５】
0004124285.tif 000016